(57)【特許請求の範囲】
【請求項１】
デジタル映像・音声データと、前記デジタル映像・音声データに対応した映像タイトルと、前記映像タイトルを選択するためのタイトル選択メニュー画面情報とが記録された光ディスクを再生する映像再生方法において、
前記タイトル選択メニュー画面情報を読み出すメニュー情報読み出しステップと、
前記メニュー情報読み出しステップにより読み出された前記タイトル選択メニュー画面情報に含まれる前記映像タイトルへの再生制御コマンドを解析する再生制御コマンド解析ステップと、
固有のタイトル選択画面テンプレートに、前記再生制御コマンド解析ステップにより解析された前記再生制御コマンドを割り当てて再生タイトル選択画面を生成する再生タイトル選択画面生成ステップと、
前記再生タイトル選択画面生成ステップにより生成された前記再生タイトル選択画面の映像データを映像信号に変換する映像重畳ステップとを有することを特徴とする映像再生方法。
【請求項２】
前記再生タイトル選択画面のデータをメモリ上の再生タイトル選択画面データ記録領域に保持するステップと、前記再生タイトル選択画面データ記録領域から前記再生タイトル選択画面のデータを読み出し、タイトル選択画面を表示するステップとを有することを特徴とする請求項１記載の映像再生方法。
【請求項３】
前記再生タイトル選択画面のデータを前記メモリ上の再生タイトル選択画面データ記録領域で管理するため、光ディスク毎に異なるユニークなディスク識別子を付すステップを有することを特徴とする請求項２記載の映像再生方法。
【請求項４】
デジタル映像・音声データと、前記デジタル映像・音声データに対応した映像タイトルと、前記映像タイトルを選択するためのタイトル選択メニュー画面情報とが記録された光ディスクを再生する映像再生装置において、
前記タイトル選択メニュー画面情報を読み出すメニュー情報読み出し部と、
前記メニュー情報読み出し部により読み出された前記タイトル選択メニュー画面情報に含まれる前記映像タイトルへの再生制御コマンドを解析する再生制御コマンド解析部と、
固有のタイトル選択画面テンプレートに、前記再生制御コマンド解析部により解析された前記再生制御コマンドを割り当てて再生タイトル選択画面を生成する再生タイトル選択画面生成部と、
前記再生タイトル選択画面生成部により生成された前記再生タイトル選択画面の映像データを映像信号に変換する映像重畳部とを有することを特徴とする映像再生装置。
【請求項５】
前記再生タイトル選択画面のデータをメモリ上に設けられた再生タイトル選択画面データ記録領域に保持する手段と、前記再生タイトル選択画面データ記録領域から前記再生タイトル選択画面のデータを読み出し、タイトル選択画面を表示する手段とを有することを特徴とする請求項４記載の映像再生装置。
【請求項６】
前記再生タイトル選択画面のデータを前記メモリ上の再生タイトル選択画面データ記録領域で管理するため、光ディスク毎に異なるユニークなディスク識別子毎を付す手段を有することを特徴とする請求項５記載の映像再生装置。
【請求項７】
デジタル映像・音声データと、前記デジタル映像・音声データに対応した映像タイトルと、前記映像タイトルを選択するためのタイトル選択メニュー画面情報とが記録された光ディスクを再生する映像再生方法において、
前記映像タイトルの再生制御情報である再生単位の再生制御情報を読み出す再生単位の再生制御情報読み出しステップと、
前記再生単位の再生制御情報読み出しステップにより読み出された前記再生単位の再生制御情報を解析する再生単位の再生制御コマンド解析ステップと、
固有のタイトル選択画面テンプレートに、前記再生単位の再生制御情報解析ステップにより解析された前記再生制御情報を割り当てて再生タイトル選択画面を生成する再生タイトル選択画面生成ステップと、
前記再生タイトル選択画面生成ステップにより生成された前記再生タイトル選択画面のデータを映像信号に変換する映像重畳ステップとを有することを特徴とする映像再生方法。
【請求項８】
前記再生タイトル選択画面のデータをメモリ上の再生タイトル選択画面データ記録領域に保持するステップと、前記再生タイトル選択画面データ記録領域から前記再生タイトル選択画面のデータを読み出し、タイトル選択画面を表示するステップとを有することを特徴とする請求項７記載の映像再生方法。
【請求項９】
前記再生タイトル選択画面のデータを前記メモリ上の再生タイトル選択画面データ記録領域で管理するため、光ディスク毎に異なるユニークなディスク識別子を付すステップを有することを特徴とする請求項８記載の映像再生方法。
【請求項１０】
デジタル映像・音声データと、前記デジタル映像・音声データに対応した映像タイトルと、前記映像タイトルを選択するためのタイトル選択メニュー画面情報とが記録された光ディスクを再生する映像再生装置において、
前記映像タイトルの再生制御情報である再生単位の再生制御情報を読み出す再生単位の再生制御情報読み出し部と、
前記再生単位の再生制御情報読み出し部により読み出された前記再生単位の再生制御情報を解析する再生単位の再生制御コマンド解析部と、
固有のタイトル選択画面テンプレートに、前記再生単位の再生制御情報解析部により解析された前記再生制御情報を割り当てて再生タイトル選択画面を生成する再生タイトル選択画面生成部と、
前記再生タイトル選択画面生成ステップにより生成された前記再生タイトル選択画面のデータを映像信号に変換する映像重畳部とを有することを特徴とする映像再生装置。
【請求項１１】
前記再生タイトル選択画面のデータをメモリ上に設けられた再生タイトル選択画面データ記録領域に保持する手段と、前記再生タイトル選択画面データ記録領域から前記再生タイトル選択画面のデータを読み出し、タイトル選択画面を表示する手段とを有することを特徴とする請求項１０記載の映像再生装置。
【請求項１２】
前記再生タイトル選択画面のデータを前記メモリ上の再生タイトル選択画面データ記録領域で管理するため、光ディスク毎に異なるユニークなディスク識別子毎を付す手段を有することを特徴とする請求項１１記載の映像再生装置。
【発明の詳細な説明】
【技術分野】
【０００１】
本発明は、一つ以上のデジタル映像・音声データを有し、そのデジタル映像・音声データを選択できるタイトル選択メニュー画面情報を有する光ディスクを再生する映像再生装置に関する。
【背景技術】
【０００２】
従来の、ＤＶＤ（Ｄｉｇｉｔａｌ  Ｖｅｒｓａｔｉｌｅ  Ｄｉｓｃ）再生専用ディスクであるＤＶＤ−ＲＯＭ（Ｒｅａｄ  Ｏｎｌｙ  Ｍｅｍｏｒｙ）のビデオ規格ディスク（以下、ＤＶＤビデオディスクと呼ぶ）では、タイトル選択メニュー画面情報を有しており、映像再生装置では前記タイトル選択メニュー画面情報に含まれている映像データを基にタイトル選択メニュー画面を表示していた（例えば、特許文献１）。ＤＶＤビデオディスクでは、ＤＶＤプレーヤでの再生方法を制御するために、ナビゲーションコマンドと呼ばれるプログラミング言語が用意されている。ナビゲーションコマンドで記述されたプログラムは音声・映像データと共にＤＶＤビデオディスクに記録され、ＤＶＤプレーヤはナビゲーションコマンドにより記述されたプログラムが示す再生の順番およびタイミングに従って音声および映像を再生していた。ＤＶＤビデオディスクはタイトル選択メニュー画面情報を有しており、タイトル選択メニュー画面の映像データ以外に副映像を用いた操作ボタンと、デジタル音声・映像データの再生を制御するプログラムのナビゲーションコマンドに対応させていた（例えば、特許文献２）。一般に市販される映画等のＤＶＤ−ＲＯＭディスクはタイトル選択メニュー画面情報の映像データに動画像も含まれており、ビジュアル的に優れたものが多いが、映画コンテンツメーカー等でそれぞれ作成しており、映画コンテンツメーカー各社で操作が異なる。
【０００３】
また、ＤＶＤ追記型メディア（以下、ＤＶＤ−Ｒ）やＤＶＤ（以下、ＤＶＤ−ＲＷ）に記録されたビデオレコーディング規格では前記タイトル選択メニュー画面情報を持っていないために映像再生装置でタイトル選択画面を作成し、表示を行っていた。
【０００４】
【特許文献１】特開平  ９−  ６３２５１公報
【特許文献２】特開平１０−１４５７２２公報
【発明の開示】
【発明が解決しようとする課題】
【０００５】
上述のように、ＤＶＤビデオディスクのようなタイトル選択メニュー画面情報を持つ光ディスクは映画コンテンツメーカー等がそれぞれ作成しており、映画コンテンツメーカー等各社で操作が異なっていた。また、ＤＶＤ−ＲやＤＶＤ−ＲＷのビデオレコーディング規格ディスクのようなタイトル選択メニュー画面情報を持たない光ディスクでは、タイトル選択画面を映像再生装置で作成して表示しており、ＤＶＤビデオディスクとは異なっていた。
【０００６】
そのために、映像再生装置の扱いに不慣れなユーザにとっては光ディスクのフォーマット規格により、操作方法が異なるタイトル選択の画面が表示されることで混乱を招く恐れがあった。
【０００７】
そこで、本発明は、上述のような課題を解決するためになされたものであって、光ディスクのフォーマット規格に関係なく、操作方法が統一されたタイトル選択の画面をユーザに提供するものである。
【課題を解決するための手段】
【０００８】
本発明に係る映像再生方法は、デジタル映像・音声データと、前記デジタル映像・音声データに対応した映像タイトルと、前記映像タイトルを選択するためのタイトル選択メニュー画面情報とが記録された光ディスクを再生する映像再生方法において、前記タイトル選択メニュー画面情報を読み出すメニュー情報読み出しステップと、前記メニュー情報読み出しステップにより読み出された前記タイトル選択メニュー画面情報に含まれる前記映像タイトルへの再生制御コマンドを解析する再生制御コマンド解析ステップと、固有のタイトル選択画面テンプレートに、前記再生制御コマンド解析ステップにより解析された前記再生制御コマンドを割り当てて再生タイトル選択画面を生成する再生タイトル選択画面生成ステップと、前記再生タイトル選択画面生成ステップにより生成された前記再生タイトル選択画面の映像データを映像信号に変換する映像重畳ステップとを有する。
【発明の効果】
【０００９】
本発明に係る映像再生方法によれば、ユーザに操作方法が統一されたタイトル選択画面を提供することができる。
【発明を実施するための最良の形態】
【００１０】
実施の形態１．
図１は、実施の形態１における映像再生装置１０００の構成を示すブロック図である。当該映像再生装置１０００においては、光ディスク１０２に記録された情報の再生を行なう。以下、まず、映像再生装置１０００において、光ディスク１０２に記録された情報の再生を行なう場合における各部の動作について説明する。
【００１１】
図１において、ユーザが操作部１１７を操作することによって再生が指示されると、当該映像再生装置１０００のシステムコントローラ１１２が入出力制御部１０３を経由して光学ドライブ１０１に対して光ディスク１０２の所定の位置から所定のデータ長を読み込む命令を出す。命令を受けた光学ドライブ１０１はシステムコントローラ１１２の命令に従い、光ディスク１０２からデータを読み出し、読み出したデータを入出力制御部１０３に対して出力する。
【００１２】
入出力制御部１０３は読み出したデータをバッファリングする機構も有しており、入出力制御１０３からデータを出力する際の出力先のデータ受信可能状況により、出力データ量を制御することができる。入出力制御１０３が読み出したデータが映像・音声等のデータを圧縮した多重化ストリームデータでない場合は、入出力制御部１０３はシステムコントローラ１１２に対して制御のためのデータを出力して、システムコントローラ１１２は読み出した制御のためのデータに対応した所定の処理を行う。一方、入出力制御１０３が読み出したデータが映像・音声データを圧縮した多重化ストリームデータである場合は、入出力制御部１０３は伸長処理部１０４に対して多重化ストリームデータを出力する。その際、システムコントローラ１１２は、伸長処理部１０４の復号化状況や入出力制御部１０３のバッファ状況を判断しながら、光学ドライブ１０１から読み出すデータ量を制御する。伸長処理部１０４は、入力された多重化ストリームデータを伸長処理部１０４内のデマルチプレックス部１０５でビデオ（主映像）、副映像、オーディオ等のデータに分離し、ビデオ処理部１０６、副映像処理部１０７、オーディオ処理部１０８等でそれぞれを復号化する。
【００１３】
ビデオ処理部１０６および副映像処理部１０７で復号化したビデオデータ、副映像データはデジタルビデオデータとして映像重畳部１０９に入力され、映像重畳部１０９は入力されたビデオデータ、副映像データのデジタルビデオデータと、システムコントローラ１１２で生成される映像データを重畳してビデオ出力部１１０に出力する。ビデオ出力部１１０は接続されるＴＶや映像装置等のインターフェースに合わせて、デジタル信号やアナログ信号に変換して、図示しないＴＶや映像装置等に出力する。
【００１４】
一方、オーディオ処理部１０８で復号化されたオーディオデータはデジタルオーディオデータとしてオーディオ出力部１１１に出力される。オーディオ出力部１１１はＴＶやＡＶアンプ等のインターフェースに合わせて、デジタル信号やアナログ信号に変換して、図示しないＴＶやＡＶアンプ等に出力する。
【００１５】
なお、伸張処理部１０４における具体的な処理は、例えば、以下のようにして行なう。伸張処理部１０４内のデマルチプレックス部１０５に入力される多重化ストリームデータがデジタル放送やＢｌｕ−ｒａｙ  Ｄｉｓｃ等で利用されるＭＰＥＧ２−ＴＳの場合、デマルチプレックス部１０５は受け取ったＭＰＥＧ２−ＴＳデータをビデオＰＥＳ(パケッタイズドエレメンタリーストリーム)、副映像ＰＥＳおよびオーディオＰＥＳ等に分離し、それぞれのストリームをビデオ処理部１０６、副映像処理部１０７、オーディオ処理部１０８でエレメンタリーストリームに変換して、ビデオとオーディオの同期を取りながら復号化処理を実施し、ビデオはＩＴＵ−Ｒ  ＢＴ．７０９もしくはＩＴＵ−Ｒ  ＢＴ．６５６に準拠したデジタルビデオデータ、オーディオはＰＣＭデータに変換する。また、伸張処理部１０４内のデマルチプレックス部１０５に入力される多重化ストリームデータがＤＶＤ等で利用されるＭＰＥＧ２−ＰＳの場合、デマルチプレックス部１０５は受け取ったＭＰＥＧ２−ＰＳデータをビデオＰＥＳ、副映像ＰＥＳおよびオーディオＰＥＳ等に分離し、それぞれのストリームをビデオ処理部１０６、副映像処理部１０７、オーディオ処理部１０８でエレメンタリーストリームに変換して、ビデオとオーディオの同期を取りながら復号化処理を実施し、ビデオはＩＴＵ−Ｒ  ＢＴ．６５６に準拠したデジタルビデオデータ、オーディオはＰＣＭデータに変換する。
【００１６】
次に光ディスク１０２がタイトル選択メニュー画面情報を持つ光ディスクであり、ユーザからタイトル選択画面の表示指示があった場合について説明する。
【００１７】
まず、ユーザから操作部１１７を経由してシステムコントローラ１１２に対して、タイトル選択画面の表示指示があった場合、システムコントローラ１１２はメニュー情報読み出し手段１１３に対してタイトル選択画面の表示要求を出す。メニュー情報読み出し手段１１３は入出力制御部１０３を経由して、光学ドライブ１０１に対してタイトル選択メニュー画面情報を取得するように命令を出す。命令を受け取った光学ドライブ１０１はタイトル選択メニュー画面情報を光ディスク１０２から読み出し、入出力制御部１０３を介してシステムコントローラ１１２内のメニュー情報読み出し手段１１３に出力する。メニュー情報読み出し手段１１３はメモリ部１１６にタイトル選択メニュー画面情報を保持し、再生制御コマンド解析手段１１４にメモリ１１６上に保持したタイトル選択メニュー画面情報を解析するように命令を出す。
【００１８】
タイトル選択メニュー画面情報には再生制御コマンドが含まれており、再生制御コマンドはいくつかの種類がある。例えば、タイトル選択メニュー画面情報を用いてタイトル選択メニュー画面を表示した場合に任意のタイトルを選択するカーソル選択で実行された場合の動作を定めるタイトル遷移情報を持つコマンドや、多重化ストリームデータ上の複数ある音声言語や字幕言語を選択するコマンド等がある。再生制御コマンド解析手段１１４はメモリ部１１６からタイトル選択メニュー画面情報を読み出し、タイトル選択メニュー画面情報に含まれる再生制御コマンドを解析する。再生制御コマンド解析手段１１４はタイトル選択メニュー画面情報からタイトル遷移情報を持つ再生制御コマンドを検出する度に、再生タイトル選択画面生成手段１１５に対してタイトル遷移情報を持つ再生制御コマンド内に記録された遷移タイトル番号を通知し、タイトル選択画面用の映像データを生成する要求を出す。
【００１９】
再生タイトル選択画面生成手段１１５は、再生制御コマンド解析手段１１４からの命令毎に、通知された遷移タイトル番号に対応したタイトル選択ボタンをタイトル選択画面用の映像データに埋め込んでいく。例として、実施の形態１における映像再生装置１０００にタイトル選択メニュー画面情報を持たない光ディスクが挿入され、ユーザからタイトル選択画面の表示指示があった場合のタイトル選択画面が、一画面に４つのタイトルを表示し、タイトル毎にタイトルの映像ストリームデータ内の代表画面を示すサムネイル画面とタイトル名を表示する映像再生装置であった場合に、タイトル選択画面の映像データを生成時に図２のようなタイトル選択画面テンプレート画面を用いるとする。
【００２０】
図２の構成はまだ何も登録していないタイトル選択画面テンプレート画面２０１、タイトル選択画面内の表示タイトル１のタイトル選択ボタン領域２０２、表示タイトル２のタイトル選択ボタン領域２０３、表示タイトル３のタイトル選択ボタン領域２０４、表示タイトル４のタイトル選択ボタン領域２０５である。各表示タイトルのタイトル選択ボタン領域２０２〜２０５には、それぞれ各表示タイトルに対応した映像ストリームデータ内の代表画面を示すサムネイル画面用領域２０６〜２０９とタイトル名用領域２１０〜２１３を有する。
【００２１】
再生タイトル選択画面生成手段１１５は、再生制御コマンド解析手段１１４からの最初の命令でメモリ部１１６に記録されたタイトル選択画面テンプレート画面２０１の映像データを読み込み、再生制御コマンド解析手段１１４から通知された遷移タイトル番号に対応したタイトル選択ボタンを表示タイトル１のタイトル選択ボタン領域２０２に形成する。その際、再生タイトル選択画面生成手段１１５は、入出力制御部１０３を介して光学ドライブ１０１に対して、サムネイル画面を作成するための代表画面を読み込むために遷移タイトル番号に対応した映像ストリームデータを読み込む命令を出す。光学ドライブ１０１は光ディスク１０２から遷移タイトル番号に対応した映像ストリームデータの所定位置から所定のデータ長分を読み出し、入出力制御部１０３を経由して、伸長処理部１０４に出力する。伸長処理部１０４は、入力された映像ストリームデータである多重化ストリームデータをデマルチプレックス部１０５で各種ストリームデータに分離し、ビデオ（主映像）のみビデオ処理部１０６で復号処理し、デジタルビデオデータとして映像重畳部１０９に出力する。映像重畳部１０９は、入力されたデジタルビデオデータの画像サイズをタイトル選択画面用のサムネイル画面領域のサイズに縮小して、サイズ縮小したデジタルビデオデータをシステムコントローラ１１２内の再生タイトル選択画面生成部１１５に出力する。再生タイトル選択画面生成部１１５は、入力されたサイズ縮小したデジタルビデオデータを表示タイトル１のタイトル選択ボタン領域２０２内のサムネイル画面用領域２０６に重畳する。さらに、再生タイトル選択画面生成手段１１５は、入出力制御部１０３を介して光学ドライブ１０１に対して、タイトル名を読み込むために遷移タイトル番号に対応した再生制御データを読み込む命令を出す。光学ドライブ１０１は光ディスク１０２から遷移タイトル番号に対応した再生制御データを読み出し、入出力制御部１０３を経由して、システムコントローラ１１２に出力する。システムコントローラ１１２は、入力された再生制御データからタイトル名を検出し、タイトル名を再生タイトル選択画面生成手段１１５に出力する。再生タイトル選択画面生成手段１１５は、入力されたタイトル名を表示タイトル１のタイトル選択ボタン領域２０２内のタイトル名用領域２１０に重畳することでタイトル選択画面の映像データを生成する。
【００２２】
再生タイトル選択画面生成手段１１５は、再生制御コマンド解析手段１１４から２度目の命令を受けると、再生制御コマンド解析手段１１４から通知された遷移タイトル番号に対応したタイトル選択ボタンを表示タイトル２のタイトル選択ボタン領域２０２に形成する。サムネイル画面およびタイトル名は上記同様の処理を行い、表示タイトル２のタイトル選択ボタン領域２０３内のサムネイル画面用領域２０７および表示タイトル２のタイトル選択ボタン領域２０２内のタイトル名用領域２１１に重畳することでタイトル選択画面の映像データを生成する。
【００２３】
再生タイトル選択画面生成手段１１５は、再び再生制御コマンド解析手段１１４から命令が受け取ると、前記同様の処理を行うことで表示タイトル３、表示タイトル４の領域に順々にタイトル選択ボタンが形成される。さらに、再生タイトル選択画面生成手段１１５は、再生制御コマンド解析手段１１４から命令を受け取ると、一つのタイトル選択画面上にタイトル選択ボタンを配置できなくなるが、次のページとして新しいタイトル選択画面を生成するためにメモリ部１１６に記録されたタイトル選択画面テンプレート画面２０１の映像データを読み込み、前記同様のタイトル選択ボタン、サムネイル画面およびタイトル名の処理を行うことで対応可能である。
【００２４】
再生制御コマンド解析手段１１４は、タイトル選択メニュー画面情報からタイトル遷移情報を持つ再生制御コマンドの検出が全て完了すると、再生タイトル選択画面生成手段１１５に対して映像重畳部１０９にタイトル選択画面の映像データとどのタイトル選択ボタンが選択されているかを示すカーソルの映像データを出力するように命令を出し、再生タイトル選択画面生成手段１１５はタイトル選択画面の映像データとカーソルの映像データを映像重畳部１０９に出力する。映像重畳部１０９はシステムコントローラ１１２の再生タイトル選択画面生成手段１１５からの映像データのみを選択して、ビデオ出力部１１０経由で図示しないＴＶ等にタイトル選択画面を表示する。ユーザがタイトル選択のために操作部１１７でカーソルを移動する指示があった場合、操作部１１７はシステムコントローラ１１２経由で再生タイトル選択画面生成手段にカーソル移動指示の命令を出し、再生タイトル選択画面生成手段１１５は、映像重畳部１０９に出力するカーソルの映像データのみを更新する。ユーザが次のタイトル選択画面を閲覧するために操作部１１７でタイトル選択画面の更新指示があった場合、操作部１１７はシステムコントローラ１１２経由で再生タイトル選択画面生成手段にタイトル選択画面の更新指示の命令を出し、再生タイトル選択画面生成手段１１５は、映像重畳部１０９に出力するタイトル選択画面の映像データを次のページのタイトル選択画面の映像データとして、新しいタイトル選択画面でのカーソルの映像データを出力することで更新する。ユーザがタイトル選択画面で任意のタイトル選択ボタンを決定した場合は、システムコントローラ１１２は、該当するタイトル選択ボタンの遷移タイトル番号を再生するために、遷移タイトル番号に対応した映像ストリームデータを読込むように、入出力制御部１０３を介して光学ドライブ１０１に対して読込み命令を出す。以後、上述した再生処理を行うことでユーザが選択したタイトルを再生することができる。
【００２５】
これまで光ディスク上のタイトル選択メニュー画面情報のタイトル遷移情報を持つ再生制御コマンドのみを取り上げてきたが、光ディスク上のタイトル選択メニュー画面情報にタイトル内をサーチできるエントリシーンへの遷移情報を持つ再生制御コマンドが登録されている場合は、エントリシーンの選択画面を生成しても良い。また、上述の説明では、タイトル選択画面ではタイトル選択のみを可能とする説明をしており、副映像（字幕）言語、音声言語の選択は従来映像再生装置のリモコン等の操作部１１７で実現可能であるために、説明を省略したが、光ディスク上のタイトル選択メニュー画面情報にはタイトル選択以外に副映像言語、音声言語の選択も含んでいるものもあり、副映像言語および音声言語を変更する再生制御コマンドを再生制御コマンド解析手段１１４で検出し、タイトル選択画面内に副映像言語、音声言語の選択ボタンを配置するように再生タイトル選択画面生成手段１１５に命令しても良い。
【００２６】
図３は図１の当該映像再生装置１０００の入出力制御部１０３にハードディスク３０１を接続し、再生タイトル選択画面生成手段１１５で生成した再生タイトル選択画面の映像データを記録するための領域である再生タイトル選択画面データ記録領域３０２を上記ハードディスク３０１に設けたものを映像再生装置１００１としたものである。当該映像再生装置１００１にタイトル選択メニュー画面情報を持つ光ディスクが挿入され、ユーザが操作部１１７を介してシステムコントローラ１１７にタイトル選択画面の表示指示をした場合、システムコントローラの内のメニュー情報読み出し手段１１３、再生制御コマンド解析手段１１４、再生タイトル選択画面生成手段１１５は、上述のタイトル選択画面の映像データの生成処理同様の処理を実施し、上述同様に再生タイトル選択画面生成手段１１５は映像重畳部１０９およびビデオ出力部１１０を介して、タイトル選択画面を図示しないＴＶや映像装置等に出力する。その際、再生タイトル選択画面生成手段１１５は、生成したタイトル選択画面の映像データをハードディスク３０１の再生タイトル選択画面データ記録領域３０２に記録するために、入出力制御部１０３を介してハードディスク３０１に対して、生成したタイトル選択画面の映像データを記録する命令を出す。ハードディスク３０１は、再生タイトル選択画面生成手段１１５からの命令に従い、入力された生成したタイトル選択画面の映像データを再生タイトル選択画面データ記録領域３０２に記録する。再度、ユーザが操作部１１７を介してシステムコントローラ１１７にタイトル選択画面の表示指示をした場合、上述のタイトル選択画面の映像データの生成処理を行わずに、メニュー情報読み出し手段１１３は光ドライブ１０１の光ディスク１０２からの読込みではなく、ハードディスク３０１の再生タイトル選択画面データ記録領域３０２に記録された再生タイトル選択画面の映像データを読込み、読込んだタイトル選択画面の映像データをメモリ部１１６に保持し、再生タイトル選択画面生成手段１１５に再生タイトル選択画面の映像データを出力する命令をする。再生タイトル選択画面生成手段１１５は、メニュー情報読み出し手段１１３の命令に従い、メモリ部１１６に保持されたタイトル選択画面の映像データを読込み、カーソルの映像データを加えて、映像重畳部１０９およびビデオ出力部１１０を介して図示しないＴＶや映像装置等に出力することでタイトル選択画面を表示することができる。
【００２７】
当該映像再生装置１００１では再生タイトル選択画面生成手段１１５で生成したタイトル選択画面の映像データをハードディスク３０１の再生タイトル選択画面データ記録領域に記録したが、システムコントローラ１１２にフラッシュメモリ等の不揮発性メモリが接続され、不揮発性メモリ上に生成したタイトル選択画面の映像データを記録する領域（再生タイトル選択画面データ記録領域）を設けて利用しても良い。
【００２８】
また、再生タイトル選択画面データ記録領域３０２に、再生タイトル選択画面生成手段１１５で生成したタイトル選択画面の映像データを記録する際に、光ディスク毎で固有に持つユニークなディスク識別子と共に保存し、光ディスク毎でタイトル選択画面の映像データを保存しても良い。
【００２９】
光ディスク１０２がタイトル選択メニュー画面情報を持つ光ディスクであるＤＶＤビデオディスクの場合の具体例を説明する。
【００３０】
ＤＶＤビデオディスクではデータ構造の各名称にＤＶＤアプリケーションの論理構造のための用語が頻繁に引用され使用される。このため説明の都合上、まず光ディスクに記録されるアプリケーションの論理構造の説明と用語の定義を行う。
【００３１】
ＤＶＤビデオディスクでは、アプリケーションの単位をタイトルと称し、映画アプリケーションであれば、タイトルは１つの映画となり、３つのタイトルを格納する光ディスクは３つの映画が記録されていることになる。タイトルの上位概念として、動画情報をお互いに共有する複数のタイトルを示すタイトルセットがあり、同じ映画で、ノーカット版、劇場公開版、テレビ版と動画情報の多くをお互いに共有する３つのバージョンがあった場合、これらは１つのタイトルセットとなる。タイトルセットは同一のディスク上に複数記録可能である。例えば、映画Ａ、映画Ｂがそれぞれノーカット版、劇場公開版、テレビ版を記録する場合はそれぞれ３つのタイトルから構成される２つのタイトルセットが記録されることになる。個々のタイトルはプログラムとプログラムの再生経路から構成される。プログラムは映像情報、音声情報の論理的な再生単位であり、セルと称されるＭＰＥＧのシステムストリームに対応する。論理的な再生単位としてプログラムがある理由はセルを異なる再生経路で共有するためである。また分岐を含まないプログラムの再生経路はプログラムチェーンと称する。これらプログラムチェーンはメニューなど分岐を含むプログラムからのリンクにより互いに接続され、分岐を含む再生経路を構築する、これがタイトルセットになる。
【００３２】
以下、上述したアプリケーションの論理構造を前提に光ディスクに記録されるデータ構造を説明する。
【００３３】
図４は本実施の形態で使用する光ディスクのデータ構造を示すために、ＤＶＤビデオディスクを例にした図である。光ディスク４０１はＤＶＤビデオディスクであり、そのデータ構造はディスク識別情報や物理的な情報を記録したリードイン４０２とリードアウト４０４、ユーザに提供される領域であるユーザエリア４０３に大別される。光ディスク４０１は物理的に複数のセクタに分割され、連続的な番号の番地が割り当てられている。ユーザエリア４０３は、ディスク上のディレクトリとファイルの構造を示すためのファイルシステムデータを記録するファイル構造領域４０５を持つ。ファイル構造領域４０５はＵＤＦ（Ｕｎｉｖｅｒｓａｌ  Ｄｉｓｃ  Ｆｏｒｍａｔ）およびＩＳＯ９６６０に準拠されたファイルシステムで記録されており、ディスク上のディレクトリとファイルの構造を示すための位置情報（論理アドレス）が論理セクタ番号ＬＳＮで表される。論理セクタは物理セクタと同様の２０４８バイトである。ユーザエリア４０３には、他にもディスク上の全てのタイトル情報やタイトルの選択、音声言語や字幕言語等を切り替えるメニュー情報を記録したビデオマネージャ４０６（以下、ＶＭＧ  ４０６）、タイトルセット内のタイトル情報やタイトルセット内のメニュー情報、タイトルのストリームデータ等を記録したビデオタイトルセット４０７（以下、ＶＴＳ＃１  ４０７）、ビデオタイトルセット４０８（以下、ＶＴＳ＃２  ４０８）、ビデオタイトルセット４０９（以下、ＶＴＳ＃ｎ  ４０９）（ｎは最大９９）を記録できる。ＤＶＤビデオディスクには一つのビデオマネージャ（以下、ＶＭＧ）と一つ以上のビデオタイトルセット（以下、ＶＴＳ）を有することができるが、図４ではＶＴＳをｎ個記録したものである。ＶＭＧ４０６には各ＶＴＳを位置およびサイズ等やディスクの再生制御情報を記録した制御データ４１０（以下、ＶＭＧＩ  ４１０）、タイトルの選択、音声言語や字幕言語等を切り替えるメニュー情報を記録したメニュー用ＶＯＢＳ４１１（以下、ＶＭＧＭ＿ＶＯＢＳ  ４１１）、ＶＭＧＩが傷やフィンガープリント等で読込できない場合のバックアップデータとして記録したＶＭＧＩ用バックアップ４１２が記録される。ＶＴＳ＃ｎ  ４０９には、ＶＴＳの再生制御情報と記録した制御データ４１３（以下、ＶＴＳＩ  ４１３）、ＶＴＳ内のあらかじめ決められたシーンへジャンプできるチャプターのリストやＶＴＳ内のタイトルを選択できるメニュー等を記録したＶＴＳ内のメニュー用ＶＯＢＳ４１４（以下、ＶＴＳＭ＿ＶＯＢＳ  ４１４）、タイトルのストリームデータを記録したタイトル用ＶＯＢＳ４１５（以下、ＶＴＳＴＴ＿ＶＯＢＳ  ４１５）、ＶＴＳＩが傷やフィンガープリント等で読込できない場合のバックアップデータとして、ＶＴＳＩ用バックアップ４１６が記録される。
【００３４】
図５は各種メニュー用データであるＶＭＧＭ＿ＶＯＢＳ  ４１１、ＶＴＳＭ＿ＶＯＢＳ４１４を再生した場合の画面重畳イメージである。メニュー用データには背景となるビデオ（主映像）、ボタン形状やタイトル文字となる副映像、ＢＧＭとなる音声を有し、またユーザが選択した際のカーソルを示すハイライトデータが記録されている。ビデオと副映像、音声の各種データは上述したビデオ処理部１０６、副映像処理部１０７、オーディオ処理部１０８で処理し、ハイライトデータはシステムコントローラ１１２でカーソル（選択された場所がハイライトされる）映像を生成し、映像重畳部１０９で重畳し、ビデオ出力部１１０に出力することで図示しないＴＶや映像装置等に表示させる。図５のハイライト画面はハイライトデータに含まれるカーソル位置情報の一つを表示させているだけであり、ユーザが操作部１１７を通じてカーソル移動要求を行った場合、システムコントローラ１１２が図５のハイライト画面のカーソル位置を変更し、映像重畳部１０９で重畳することでカーソル移動が可能である。ユーザが操作部１１７通じてカーソル決定要求を行った場合、システムコントローラ１１２はカーソル決定要求を行った際のカーソル位置に対応した再生制御コマンドをハイライトデータから読み出し、再生制御コマンドで指示された動作を実行する。
【００３５】
一方、ビデオレコーディング規格ディスクはＤＶＤビデオディスクとは異なり、各種メニュー用データを有していないために、ビデオレコーディング規格ディスクに記録された再生単位のプログラム（以下、ＰＧ。ＤＶＤビデオディスクのタイトルに相当）の情報を基にシステムコントローラ１１２で図６に図示したような各ＰＧの代表画、ＰＧ名、カーソルを表示させたタイトル選択画面の映像データを映像再生装置内のシステムコントローラ１１２で生成して、映像重畳部１０９に出力し、ビデオ出力部１１０を介して図示しないＴＶや映像装置等に表示させる。
【００３６】
ＤＶＤビデオディスクの各種メニュー用データであるＶＭＧＭ＿ＶＯＢＳ  ４１１、ＶＴＳＭ＿ＶＯＢＳ  ４１４のようなタイトル選択メニュー画面情報を記録した光ディスクとビデオレコーディング規格ディスクのようにタイトル選択メニュー画面情報を持たない光ディスクのタイトル選択画面を統一したユーザ操作にするために、タイトル選択画面を表示する際に、タイトル選択メニュー画面情報を記録した光ディスクのタイトル選択メニュー画面情報を解析して、タイトル選択メニュー画面情報を持たない光ディスクと同様にタイトル選択画面の映像データを映像再生装置内で生成する方法を説明する。
【００３７】
図１の光ディスク１０２に図４の光ディスク４０１のようなタイトル選択メニュー画面情報を記録した光ディスクを挿入し、ユーザから操作部１１７を通じて、システムコントローラ１１２にタイトル選択画面の表示要求があった場合、システムコントローラ１１２はシステムコントローラ１１２のメニュー情報読み出し部１１３に対して、タイトル選択画面の表示要求を出す。メニュー情報読み出し部１１３は入出力制御部１０３を介して、光学ドライブ１０１に対してＶＭＧＭ＿ＶＯＢＳ  ４１１を読込む命令を出す。
【００３８】
光学ドライブ１０１は光ディスク１０２からＶＭＧＭ＿ＶＯＢＳ  ４１１を読み出し、入出力制御部１０３を介してシステムコントローラ１１２のメニュー情報読み出し手段１１３に出力する。メニュー情報読み出し手段１１３はメモリ部１１６に一旦保持する。再生制御コマンド解析手段１１４はメモリ１１６に保持されたＶＭＧＭ＿ＶＯＢＳ  ４１１を読み出し、ＶＭＧＭ＿ＶＯＢＳ  ４１１内のナビゲーションパック（映像ストリームデータ上に記録された再生制御情報）に含まれるハイライトデータ内のナビゲーションコマンドを解析してタイトル遷移情報を検出する度に、再生タイトル選択画面生成手段１１５に対してタイトル遷移情報を持つ再生制御コマンド内に記録された遷移タイトル番号を通知し、タイトル選択画面用の映像データを生成する要求を出す。
【００３９】
選択画面生成手段１１５は前記処理を実行することで、タイトル選択画面の映像データとどのタイトル選択ボタンが選択されているかを示すカーソルの映像データを映像重畳部１０９に出力する。映像重畳部１０９はシステムコントローラ１１２の再生制御コマンド解析手段１１４からの映像データのみを選択して、ビデオ出力部１１０経由で図示しないＴＶや映像装置等にタイトル選択画面を表示する。また、ＤＶＤビデオディスクではチャプターと呼ばれるタイトル内のサーチ可能なエントリシーンの選択画面の映像データを生成するためにメニュー情報読み出し手段１１３が入出力制御部１０３を介して光学ドライブ１０１に対してＶＴＳＭ＿ＶＯＢＳ  ４１４を読込む命令を出し、以下ＶＭＧＭ＿ＶＯＢＳ  ４１１と同様の処理を行っても良い。また、ＤＶＤビデオディスクからタイトル名を取得する場合、再生制御データにタイトル名を含んでいない場合はディスク上のタイトル番号をタイトル名としても良い。
【００４０】
上記のように、実施の形態１記載の図１の映像再生装置１０００では、光ディスクにタイトル選択メニュー画面情報の記録有無に関わらず、ユーザに操作方法が統一されたタイトル選択画面を提供することができる。
【００４１】
また、実施の形態１記載の図３の映像再生装置１００１では、ユーザからタイトル選択画面の表示指示があった場合、生成したタイトル選択画面の映像データをハードディスクに保存することで、再びユーザからタイトル選択画面の表示指示があった際にハードディスクから生成したタイトル選択画面の映像データを読込むことで素早く表示できる。
【００４２】
また、生成したタイトル選択画面の映像データをハードディスクに保存する場合は、各光ディスクを識別可能なディスク固有のユニークな識別子を付加することで、各光ディスク毎で生成したタイトル選択画面の映像データを管理でき、光ディスクを交換してもハードディスクから生成したタイトル選択画面の映像データを読込むことで素早く表示できる。さらに、ユーザーが、ハードディスクの情報に必要な修正を加えることで、タイトル変更等、ユーザの好みに合わした変更も可能である。
【００４３】
実施の形態２．
図７は、実施の形態２における映像再生装置２０００の構成を示すブロック図である。当該映像再生装置２０００においては、光ディスク１０２に記録された情報の再生を行なう。以下、まず、映像再生装置２０００において、光ディスク１０２に情報の再生を行なう場合における各部の動作について説明する。
【００４４】
図７の各部で図１と同じ図番号が割り振られているものは同一の動作を示すために省略し、異なる動作のみを説明する。光ディスク１０２がタイトル選択メニュー画面情報を持つ光ディスクであり、ユーザからタイトル選択画面の表示指示があった場合について説明する。
【００４５】
まず、ユーザから操作部１１７を経由してシステムコントローラ７１２に対して、タイトル選択画面の表示要求があった場合、システムコントローラ７１２は再生単位の再生制御情報読み出し手段７０１に対してタイトル選択画面の表示要求を出す。再生単位の再生制御情報読み出し手段７０１は入出力制御部１０３を経由して、光学ドライブ１０１に対して全ての再生単位の再生制御情報を取得するように命令を出す。ここで、再生単位とは、１つのタイトル単位とする。命令を受け取った光学ドライブ１０１は再生単位の再生制御情報を光ディスク１０２から読み出し、入出力制御部１０３を介してシステムコントローラ７１２内の再生単位の再生制御情報読み出し手段７０１に出力する。再生単位の再生制御情報読み出し手段７０１は、メモリ部１１６に再生単位の再生制御情報を保持し、再生単位の再生制御情報解析手段７０２にメモリ１１６上に保持した再生単位の再生制御情報を解析するように命令を出す。再生単位の再生制御情報読み出し手段７０１は光ディスク上の再生単位の数だけ上記の処理を行う。再生単位の再生制御情報とは、ＤＶＤビデオディスクでは、図４の各ＶＴＳ内の制御データ（ＶＴＳＩ）もしくはＶＴＳＩ用バックアップに該当する。
【００４６】
再生単位の再生制御情報解析手段７０２は、再生単位の再生制御情報読み出し手段７０１から命令を受け取る度に、メモリ部１１６から再生単位の再生制御情報を読み出し、再生単位の再生制御情報に含まれる再生単位の光ディスク上のタイトル番号、光ディスク上の映像ストリームデータの記録開始位置を取得し、再生タイトル選択画面生成手段７０３に対して、取得したタイトル番号、光ディスク上の映像ストリームデータの記録開始位置を伝達し、タイトル選択画面の映像データを生成するように命令を出す。
【００４７】
再生タイトル選択画面生成手段７０３は、再生単位の再生制御情報解析手段７０２からの最初の命令でメモリ部１１６に記録されたタイトル選択画面テンプレート画面２０１の映像データを読み込み、再生単位の再生制御情報解析手段７０２から通知されたタイトル番号に対応したタイトル選択ボタンを表示タイトル１のタイトル選択ボタン領域２０２に形成する。その際、再生タイトル選択画面生成手段７０３は、入出力制御部１０３を介して光学ドライブ１０１に対して、サムネイル画面を作成するための代表画面を読み込むためにタイトル番号に対応した映像ストリームデータを読み込む命令を出す。光学ドライブ１０１は光ディスク１０２からタイトル番号に対応した映像ストリームデータの所定位置から所定のデータ長分を読み出し、入出力制御部１０３を経由して、伸長処理部１０４に出力する。伸長処理部１０４は、入力された映像ストリームデータである多重化ストリームデータをデマルチプレックス部１０５で各種ストリームデータに分離し、ビデオ（主映像）のみビデオ処理部１０６で復号処理し、デジタルビデオデータとして映像重畳部１０９に出力する。映像重畳部１０９は、入力されたデジタルビデオデータの画像サイズをタイトル選択画面用のサムネイル画面領域のサイズに縮小して、サイズ縮小したデジタルビデオデータをシステムコントローラ７１２内の再生タイトル選択画面生成手段７０３に出力する。再生タイトル選択画面生成手段７０３は、入力されたサイズ縮小したデジタルビデオデータを表示タイトル１のタイトル選択ボタン領域２０２内のサムネイル画面用領域２０６に重畳する。さらに、再生タイトル選択画面生成手段７０３は、入出力制御部１０３を介して光学ドライブ１０１に対して、タイトル名を読み込むためにタイトル番号に対応した再生制御データを読み込む命令を出す。光学ドライブ１０１は光ディスク１０２からタイトル番号に対応した再生制御データを読み出し、入出力制御部１０３を経由して、システムコントローラ７１２に出力する。システムコントローラ７１２は、入力された再生制御データからタイトル名を検出し、タイトル名を再生タイトル選択画面生成手段７０３に出力する。再生タイトル選択画面生成手段７０３は、入力されたタイトル名を表示タイトル１のタイトル選択ボタン領域２０２内のタイトル名用領域２１０に重畳することでタイトル選択画面の映像データを生成する。
【００４８】
再生タイトル選択画面生成手段７０３は、再生単位の再生制御情報解析手段７０２から２度目の命令を受けると、再生単位の再生制御情報解析手段７０２から通知されたタイトル番号に対応したタイトル選択ボタンを表示タイトル２のタイトル選択ボタン領域２０２に形成する。サムネイル画面およびタイトル名は上記同様の処理を行い、表示タイトル２のタイトル選択ボタン領域２０３内のサムネイル画面用領域２０７および表示タイトル２のタイトル選択ボタン領域２０２内のタイトル名用領域２１１に重畳することでタイトル選択画面の映像データを生成する。
【００４９】
再生タイトル選択画面生成手段７０３は、再生単位の再生制御情報解析手段７０２から命令が受け取ると、前記同様の処理を行うことで表示タイトル３、表示タイトル４の領域もタイトル選択ボタンが形成される。さらに、再生タイトル選択画面生成手段７０３は、再生単位の再生制御情報解析手段７０２から命令が受け取ると、一つのタイトル選択画面上にタイトル選択ボタンを配置できなくなるが、次のページとして新しいタイトル選択画面を生成するためにメモリ部１１６に記録されたタイトル選択画面テンプレート画面２０１の映像データを読み込み、前記同様のタイトル選択ボタン、サムネイル画面およびタイトル名の処理を行うことで対応可能である。挿入されている光ディスクがＤＶＤビデオディスクの場合、タイトル名の取得処理の際、再生制御データにタイトル名を含んでいない場合はディスク上のタイトル番号をタイトル名としても良い。
【００５０】
再生単位の再生制御情報読み出し手段７０１は光ディスク上の全ての再生単位の読込むと、再生タイトル選択画面生成手段７０３に対して映像重畳部１０９にタイトル選択画面の映像データとどのタイトル選択ボタンが選択されているかを示すカーソルの映像データを出力するように命令を出し、再生タイトル選択画面生成手段７０３はタイトル選択画面の映像データとカーソルの映像データを映像重畳部１０９に出力する。映像重畳部１０９はシステムコントローラ７１２の再生タイトル選択画面生成手段７０３からの映像データのみを選択して、ビデオ出力部１１０経由で図示しないＴＶ等にタイトル選択画面を表示する。ユーザがタイトル選択のために操作部１１７でカーソルを移動する指示があった場合、操作部１１７はシステムコントローラ７１２経由で再生タイトル選択画面生成手段にカーソル移動指示の命令を出し、再生タイトル選択画面生成手段１１５は映像重畳部１０９に出力するカーソルの映像データのみを更新する。ユーザが次のタイトル選択画面を閲覧するために操作部１１７でタイトル選択画面の更新指示があった場合、操作部１１７はシステムコントローラ７１２経由で再生タイトル選択画面生成手段にタイトル選択画面の更新指示の命令を出し、再生タイトル選択画面生成手段７０３は映像重畳部１０９に出力するタイトル選択画面の映像データを次のページのタイトル選択画面の映像データとして、新しいタイトル選択画面でのカーソルの映像データを出力することで更新する。ユーザがタイトル選択画面で任意のタイトル選択ボタンを決定した場合は、システムコントローラ７１２は、該当するタイトル選択ボタンのタイトル番号を再生するために遷移タイトル番号に対応した映像ストリームデータを読込むように、入出力制御部１０３を介して光学ドライブ１０１に対して読込み命令を出す。以後、実施の形態１に記載した再生処理を行うことでユーザが選択したタイトルを再生することができる。
【００５１】
本実施の形態で生成したタイトル選択画面の映像データを、実施の形態１同様に、ハードディスクもしくは不揮発性メモリ上の再生タイトル選択画面データ記録領域に記録しても良い。この場合、実施の形態１同様に、生成したタイトル選択画面の映像データを再生タイトル選択画面データ記録領域に記録する際に、各光ディスクの識別が可能なユニークな識別子毎で管理しても良い。
【００５２】
上記のように、実施の形態２記載の図７の映像再生装置２０００では、実施の形態１同様に、光ディスクにタイトル選択メニュー画面情報の記録有無に関わらず、ユーザに操作方法が統一されたタイトル選択画面を提供することができる。また、生成したタイトル選択画面の映像データをハードディスクに記録する場合、実施の形態１同様に素早く表示できる。さらに、生成したタイトル選択画面の映像データをハードディスクに保存する際、各光ディスクを識別可能なディスク固有のユニークな識別子を付加することで、実施の形態１同様に、光ディスクを交換しても素早く表示できる。さらに、ユーザーが、ハードディスクの情報に必要な修正を加えることで、タイトル変更等、ユーザの好みに合わした変更も可能である。
【図面の簡単な説明】
【００５３】
【図１】この発明の実施の形態１における映像再生装置の構成を示すブロック図である。
【図２】タイトル選択画面を生成する際のタイトル選択画面テンプレート画面の一例である。
【図３】この発明の実施の形態１における映像再生装置の構成を示すブロック図である。
【図４】タイトル選択メニュー画面情報を持つ光ディスク１０２の一例を説明するための説明図である。
【図５】タイトル選択メニュー画面情報を持つ光ディスクのタイトル選択メニュー画面情報を用いたメニュー画面の一例を説明するための説明図である。
【図６】タイトル選択メニュー画面情報を持たない光ディスクのタイトル選択画面の一例を説明するための説明図である。
【図７】この発明の実施の形態２における映像再生装置の構成を示すブロック図である。
【符号の説明】
【００５４】
１０１  光学ドライブ
１０２  光ディスク
１０３  入出力制御部
１０４  伸長処理部
【図１】
0004784383.tif 000002
【図２】
0004784383.tif 000003
【図３】
0004784383.tif 000004
【図４】
0004784383.tif 000005
【図５】
0004784383.tif 000006
【図６】
0004784383.tif 000007
【図７】
0004784383.tif 000008